(57)【特許請求の範囲】
【請求項１】
遺体解剖後の修復用に体内に詰める解剖修復材であって、該解剖修復材が、体液を吸収して膨潤する高吸水膨潤性繊維体と体液を吸収して収縮する収縮性繊維体との混合体を透水性袋体に充填してなることを特徴とする。
【請求項２】
請求項１の解剖修復材において、該収縮性繊維体が綿の集合体からなることを特徴とする。
【請求項３】
請求項１または２に記載の解剖修復材において、高吸水膨潤性繊維体が、アクリル繊維で形成された芯材である内層と、これを囲撓するように形成された高吸水性外層を有する２層構造であることを特徴とする。
【請求項４】
請求項１ないし３のいずれかに記載の解剖修復材において、収縮性繊維体と高吸水膨潤性繊維体の重量割合が１対０．５〜２．０であることを特徴とする。
【請求項５】
請求項１ないし４のいずれかに記載の解剖修復材において、該混合体が該袋体を通過した体液を吸水した際の容積変化が２倍以下であることを特徴とする。
【請求項６】
請求項１ないし５のいずれかに記載の解剖修復材において、該高吸水膨潤性繊維体は、体液に接触すると速やかに吸水して膨潤し、直径が約５倍以上に膨れる繊維体であり、収縮性繊維体は体液に接触すると容積を縮小する繊維体であることを特徴とする。
【請求項７】
請求項１ないし６のいずれかに記載の解剖修復材において、該透水性袋体が体液を透過できるとともに、該混合体の膨潤を抑制する不織布、網体、ネットのいずれかからなることを特徴とする。
【発明の詳細な説明】
【０００１】
【発明の属する技術分野】
この発明は、遺体解剖後の修復用に体内に詰める解剖修復材に関し、特に遺体内の体液の遺漏防止および遺漏に伴う周囲への汚染・感染を防止する解剖修復材に関する。
【０００２】
【従来の技術】
遺体の病理解剖ではすべての臓器を取り出すため、解剖後の遺体復元には、臓器を取り去った後の空間に詰め物をして修復している。一般的には、オガ屑や新聞紙等を併用して使用しているが、吸液性や作業性が悪く、縫合部からオガ屑等の詰め物が覗くなどの問題点を有している。縫合部等からの遺漏が生じた際には、遺漏に伴うウイルスや細菌等の病原菌の周囲への汚染・感染が問題となる
【０００３】
また、特開平０６−１７８７７９号公報には、人間や動物の解剖時におけり廃液処理技術が開示されている。この公報では、粉末状或は粒状の吸水性樹脂からなる吸水材を水崩壊性の紙や水溶性のフイルムに包んだ廃体液ゲル化材を開示している。  この廃体液ゲル化材を、解剖時に発生した廃体液を移した容器や体液が残留した解剖体腔内に直接投入し、体液を吸収してゲル化することを開示している。このものでは、廃体液を容器に移した中に廃体液ゲル化材を入れてゲル化する際には、かき混ぜるなどをして、ゲル化を促進することを述べている。しかし、体腔内に廃体液ゲル化材を直接投入した際には、自然に体液を吸収してゲル化するのを待つしかない。
【０００４】
【発明が解決しようとする課題】
上述の公報に開示されているものや従来技術の新聞紙等の充填物では、体液の吸収速度が遅い或は吸収能力が不足する等の問題点がある。そのために、体液が縫合部分から遺漏したりする結果を生じている。
【０００５】
そのために、十分な吸収能力を備えた高吸水材を用いることとし、高吸水材を直接体腔内に投入して体液を吸収するようにした場合には、多くの体液を吸収すればするほど高吸収材が大きく膨潤し、体型を維持できなくなる不具合を有することが判明した。そのために、高吸水材の性能を低下させれば膨潤量が少なくなり、膨潤後の体型変化が少ないが、体液が多い場合には、全部の体液を吸収できずに残ってしまう問題がある。
【０００６】
本発明は、高吸水膨潤性の吸収体を使用して、吸収能力を確保するとともに、この吸収体の体積膨張を抑制する抑制部材をうまく組み合わせて使用することを特徴とする。
【０００７】
【課題を解決するための手段】
請求項１記載の発明は、遺体解剖後の修復用に体内に詰める解剖修復材であって、体液を吸収して膨潤する高吸水膨潤性繊維体と体液を吸収して収縮する収縮性繊維体との混合体を透水性袋体に充填してなる解剖修復材である。この構成では、体腔内に投入した際に、高吸水膨潤性繊維体は急速に体液を吸収して膨潤しようとする。一方、収縮性繊維体は体液を吸収して、縮小しようとする。このように、一方は体液を吸収して膨潤し、他方は体液を吸収して縮小しようとするので、この両方の吸収材のバランスによって、この混合物としての膨潤が抑制され、体型がそれほど変化しないものを得られる。
【０００８】
請求項２の発明は、請求項１の解剖修復材において、収縮性繊維体が綿の集合体からなる。これにより、体液吸水時に収縮するため、高吸水膨潤性繊維体が膨潤することを抑制できる。
【０００９】
請求項３の発明は、請求項１または２に記載の解剖修復材において、アクリル繊維で形成された芯材である内層と、これを囲撓するように形成された高吸水性外層を有する２層構造であるので、高吸水膨潤性繊維体は体液を急速に吸収でき、体腔内の体液が縫合部分から遺漏することを防止できる。
【００１０】
請求項４の発明は、請求項１ないし３のいずれかに記載の解剖修復材において、収縮性繊維体と高吸水膨潤性繊維体の重量割合が１対０．５〜２．０であるので、体液が体腔外部に遺漏することを防止するように効果的に吸水することと、解剖修復材が吸水によって膨潤することを効果的に抑制することとのバランスが取れる。
【００１１】
請求項５の発明は、請求項１ないし４のいずれかに記載の解剖修復材において、該混合体が該袋体を通過した体液を吸水した際の容積変化が２倍以下であるので、体液吸収後の体積変化を見込んで数個の解剖修復材を体腔内に投入すれば良く、体液を急速に吸収できるとともに吸収後の体型を崩すことを防止できる。
【００１２】
請求項６の発明は、請求項１ないし５のいずれかに記載の解剖修復材において、該高吸水膨潤性繊維体は、体液に接触すると速やかに吸水して膨潤し、直径が約５倍以上に膨れる繊維体であり、収縮性繊維体は体液に接触すると容積を縮小する繊維体である構成である。この構成では、一方の該高吸水膨潤性繊維体は体液を吸収して急激に膨潤使用とするが、他方の収縮性繊維体が同時期に縮小するので、これらの混合体全体としては好適に膨潤が抑制され、体型維持を図ることができる。
【００１３】
請求項７の発明は、請求項１ないし６のいずれかに記載の解剖修復材において、該透水性袋体が体液を透過できるとともに、該混合体の膨潤を抑制する不織布、網体、ネットのいずれかからなるので、内部の混合体が吸水することを妨げないとともに、取り扱いが容易である。即ち、この解剖修復材を遺体の近くまで搬送する際や、この解剖修復材を体腔に投入する際に持ちやすく、投入作業を行い易い。
【００１４】
【発明の実施の形態】
本発明を実施例に基づいて説明する。図１及び図２により吸水状態の変化を説明する。図１は、繊維A（高吸水膨潤性繊維のみ）、繊維B（収縮性繊維のみ）、繊維C（繊維ＡとＢとを１：１で混合したもの）の吸水試験前を示す。図２は同様に繊維Ａ、Ｂ、Ｃに吸水試験をした場合の結果を示す。吸水試験としては、水滴を数滴供給した。この結果から解かるように、吸水前と吸水後では、繊維Ａは膨潤し、繊維Ｂは縮小し、繊維Ｃは膨潤も縮小もほとんどしてない。
【００１５】
図３は、繊維ＡとＢの混合割合を変更した場合を示す。写真左から、繊維Ａ：Ｂ＝4：1、繊維Ａ：Ｂ＝３：1、繊維Ａ：Ｂ＝２：1を示す。即ち、繊維Ａが３以上になると、繊維Ｂが不足し、混合繊維体が崩れた。繊維体ＡとＢの混合割合と吸水率をグラフにしたのが図４である。繊維Ｂの混合率０％は繊維Ａのみ、混合率１００％は繊維Ｂのみ、混合率５０％は繊維ＡとＢとが1：1の割合を示す。
この結果からして、収縮性繊維体（繊維Ｂ）に対して高吸水膨潤性繊維体（繊維Ａ）の重量割合は２．０以下が好ましい。なお、繊維Ａが少なすぎると吸水性に劣るので、下限値は０.５とすることが好ましい。
【００１６】
図５〜図７は繊維体Ａ、Ｂ、Ｃの外観写真、顕微鏡写真を示す。図５の上段が繊維Ａの外観図、下段が１３５倍の拡大図を示す。図６は繊維Ｂの同様な図を示し、図７は繊維Ｃの同様な図を示す。図７下段において、水分を部分的に吸収しているのが繊維Ａ１であるが、両繊維が絡み合っていることが解かる。このように繊維Ａ１と繊維Ｂ２とを混綿すると、両繊維１、２が絡み合うので、体液吸水時に繊維Ａ１が膨潤することを繊維Ｂ２が抑制できる。
【００１７】
実際に繊維Ａ、Ｂ、Ｃについてテストした。その結果を表１に示す。
上記試験において、高吸水膨潤性繊維体Ａとしては、アクリル繊維で形成された芯となる内層と、この内層を囲撓するように配設された高吸水性で吸水後膨潤するように加工処理された外層とを有する二重構造の水膨潤性繊維（商品名ランシールーＦ、東洋紡績製）を使用した。繊維Ｂとしては、市販の綿を使用した。
【表１】
0003586259.tif 000002
上記表１から解かるように、繊維Ｃの吸水性は繊維Ａ単体と変わらず、繊維Ｃの容積変化は元の容積の１２０％にしか膨潤してない。繊維Ａ単体では、容積が１７０％に膨潤するものが、繊維Ｃでは繊維Ｂを混綿しているので、繊維Ｂの収縮機能によって１２０％の膨潤に抑制された。
【００１８】
次に、実際に遺体の体腔に挿入して試験した結果を表２に示す。
上記試験において、繊維体Ａ及びＢは前の試験と同様な材質のものを使用した。
解剖修復材としては、高吸水膨潤性繊維体Ａと収縮性繊維体Ｂとを混綿した繊維体Ｃを２０ｃｍ＊１４ｃm＊７ｃmの透水性袋体（不織布）に詰めたものを用意した。この解剖修復材を各遺体の体腔内に投入した。病理解剖では１遺体当り５〜７個、法医解剖では臓器は体腔に返却され、食道部分と膀胱部分が返却されないので、食道部分と膀胱部分のそれぞれ１個ずつ投入した。
１体当りの透水性袋体を大きくすれば、投入する袋体の数を少なくできるが、投入等の取扱いがしにくくなり、また、袋体を小さくすれば、持ちやすくなるが、個数が多くなり、投入作業に手間取る結果となるので、上記大きさでトライした。
【表２】
0003586259.tif 000003
試験例１〜３は病理解剖で臓器を除去した体腔に本発明の解剖修復材を投入した例を示す。試験例４及び５は法医解剖で食道部分及び膀胱部分に夫々１個ずつ投入した場合の結果を示す。このように、試験例１〜５の全てについて、体型変化が認められず、遺漏がないものであった。
【００１９】
高吸水膨潤性繊維体は、単独では、直径が約５倍以上、好ましくは１０倍以上に膨れ、軸方向にはあまり膨潤しないものを使用することが好ましい。特に、アクリル繊維で形成された芯材である内層と、これを囲撓するように形成された高吸水性外層を有する２層構造の多孔質繊維体のものが、繊維の物性を芯材で保持し、外層が体液を吸収して径方向に速やかに約５倍以上に膨潤するので、好ましい。
特に、このような高吸水性膨潤性繊維を使用した際には、収縮性繊維体の単繊維を混合した場合に高吸水性膨潤性繊維の膨潤を抑制することが効果的に行われるので、好ましい。
【００２０】
収縮性繊維体としては、吸水時に膨潤しないもの、特に縮小するものが好ましく、綿、テトロン（商標名）：ポリエステル系合成繊維、ナイロン、化繊のいずれかの短繊維の集合体からなるものが好ましい。
透水性袋体は、体液が透過できるが内部の混合体がはみ出ない多孔質網目状のものが好ましく特に混合体の膨潤を抑制できる不織布、網体、ネット等が好ましい。
解剖修復材の透水性袋体の大きさや形状は、任意に設定すれば良いものであり、上記試験の大きさ・形状に限られない。
【００２１】
【発明の効果】
請求項１の発明によると、高吸水膨潤性繊維体と収縮性繊維体との混合体を透水性袋体に充填してなる解剖修復材であり、体腔内に投入した際に、高吸水膨潤性繊維体は急激に体液を吸収して膨潤しようとするが、収縮性繊維体が体液を吸収して縮しようとするので、この両方の吸収材のバランスによって、この混合物としての膨潤が抑制され、体型がそれほど変化しないものを得られる。
【００２２】
請求項３の発明によると、該高吸水膨潤性繊維体が、アクリル繊維で形成された芯材である内層と、これを囲撓するように形成された高吸水性外層を有する２層構造であるので、体液を急速かつ急激に吸収でき、体腔内の体液が体外に遺漏することを防止できる。
【図面の簡単な説明】
【図１】本発明と比較例のサンプル例について、吸水試験前の状態を示す外観写真図である、
【図２】図１のサンプル例について、吸水試験をした後の状態を示す外観写真図である。
【図３】図３は、繊維ＡとＢの混合割合を変更した場合において、吸水試験をした時の状態を説明する写真である。
【図４】繊維ＡとＢの混合割合と吸水率の関係を示すグラフである。
【図５】繊維Ａの外観写真及び顕微鏡写真を示す。
【図６】繊維Ｂに関し、図５と同様な図を示す。
【図７】繊維Ｃに関し、図５と同様な図を示す。
【符号の説明】
１  繊維Ａ
２  繊維Ｂ
【図１】
0003586259.tif 000004
【図２】
0003586259.tif 000005
【図３】
0003586259.tif 000006
【図４】
0003586259.tif 000007
【図５】
0003586259.tif 000008
【図６】
0003586259.tif 000009
【図７】
0003586259.tif 000010